(57)【要約】【課題】開口部を塞ぐ蓋部材が、使用時には容易に外れることがなく、必要な場合には、蓋部材をその蓋部材のユニットごと外し易くした蓋部材の取付構造を提供する。【解決手段】開口部１を塞ぐ蓋部材１０の取付構造において、蓋部材１０は、蓋取付部材２０に回動自在に取付けられ、蓋取付部材２０は、外面に係合爪２７を形成する。蓋取付部材２０を保持する蓋取付部材収納ケース３０を開口部１に設け、蓋取付部材収納ケース３０に係合爪２７を係止する係止凹部３１を形成し、係止凹部３１に蓋取付部材収納ケース３０の外壁を貫通する貫通孔３２を形成する。蓋取付部材収納ケース３０に蓋取付部材２０を収納したときに、係止凹部３１に係合爪２７を係合するとともに、貫通孔３２から係止解除部材４０の突起部４３を挿入して、係止凹部３１から係合爪２７の係止を解除することを可能とする。【選択図】図１２
2016215959.tif 000002
【特許請求の範囲】
【請求項１】
開口部を塞ぐ蓋部材の取付構造において、
上記蓋部材は、蓋取付部材に回動自在に取付けられ、
上記蓋取付部材は、外面に係合爪を形成し、
上記蓋取付部材を保持する蓋取付部材収納ケースを上記開口部の周囲に取付けられた開口部ボックスに設け、上記蓋取付部材収納ケースに上記係合爪を係止する係止凹部を形成し、該係止凹部に上記蓋取付部材収納ケースの外壁を貫通する貫通孔を形成し、
上記蓋取付部材収納ケースに上記蓋取付部材を収納したときに、上記係止凹部に上記係合爪を係合するとともに、上記貫通孔から係止解除部材の突起部を挿入して、上記係止凹部から上記係合爪の係止を解除することを可能とすることを特徴とする蓋部材の取付構造。
【請求項２】
上記係合爪は、弾性変形可能な合成樹脂で形成された請求項１に記載の蓋部材の取付構造。
【請求項３】
上記係止解除部材は、板状に形成され、上記突起部は上記係止解除部材の下部に形成された請求項１又は請求項２に記載の蓋部材の取付構造。
【請求項４】
上記蓋取付部材の外形は横方向の断面が略四角形に形成され、上記蓋取付部材収納ケースの内形は、上記蓋取付部材が摺動可能な横方向の断面が略四角形である請求項１乃至請求項３のいずれか一項に記載の蓋部材の取付構造。
【請求項５】
上記開口部ボックスに上記開口部の周囲に沿った円弧形の開口部ボックス内壁を設け、上記蓋取付部材収納ケースは、上記開口部ボックス内壁の外側に一体的に形成され、上記開口部ボックス内壁と上記蓋取付部材収納ケースに上記係止解除部材の突起部を挿入する貫通孔を形成した請求項１乃至請求項４のいずれか一項に記載の蓋部材の取付構造。
【請求項６】
上記蓋部材の取付構造は、上記蓋部材の裏面に取付脚部を設け、
上記蓋部材を上記開口部ボックスに取付ける上記蓋取付部材を設け、上記蓋取付部材に取付腕を設け、上記取付腕を上記取付脚部に回動自在かつ着脱自在に係合した請求項１乃至請求項５のいずれか一項に記載の蓋部材の取付構造。
【請求項７】
上記取付脚部及び上記取付腕の両方を貫通する取付ピンを挿入し、
上記蓋部材の取付脚部を上記蓋取付部材の上記取付腕に回動自在かつ着脱自在に係合した請求項６に記載の蓋部材の取付構造。
【請求項８】
上記開口部は、自動車の給油口であり、上記蓋部材は、給油口蓋である請求項１乃至請求項７のいずれか一項に記載の蓋部材の取付構造。
【発明の詳細な説明】
【技術分野】
【０００１】
本発明は、開口部を塞ぐ蓋部材の取付構造に関する。
【背景技術】
【０００２】
開口部を塞ぐ蓋部材において、図２１示すように、例えば、自動車用燃料タンクに燃料を給油する場合に、開口部である車体に設けられた給油口１付近に取付けられた給油口ボックス１３０の蓋部材である給油口蓋１１０を開いてから燃料を給油する。
このとき、給油口蓋１１０は、アーム部材１２０に取付けられている。アーム部材１２０は、給油口蓋１１０から一体的に延設され、給油口ボックス１３０に取付ピン１３１で取り付けられている（例えば、特許文献１参照。）。
【０００３】
このアーム部材１２０による給油口蓋１１０の取付けは、アーム部材１２０の先端１２１に、取付ピン１３１で回動自在に取付ける。これにより、給油口蓋１１０を開けるときには、給油口蓋１１０は、取付ピン１３１を中心に回動して、給油口１から給油することができる。
【０００４】
この取付ピン１３１は、アーム部材１２０の先端１２１と給油口ボックス１３０の取付け部分に圧入により取付けられている。このため、給油口蓋１１０の取外しは給油口ボックス１３０ごと取り外す必要があり、困難であった。
しかしながら、修理等で給油口蓋１１０を取外す必要が生じる場合がある。
【先行技術文献】
【特許文献】
【０００５】
【特許文献１】特開平１１−３３４３９１号公報
【発明の概要】
【発明が解決しようとする課題】
【０００６】
そこで本発明は、開口部を塞ぐ蓋部材が、使用時には容易に外れることがなく、必要な場合には、蓋部材をその蓋部材のユニットを一体として外し易くした蓋部材の取付構造を提供しようとするものである。
【課題を解決するための手段】
【０００７】
上記課題を解決するために請求項１の本発明は、開口部を塞ぐ蓋部材の取付構造において、
蓋部材は、蓋取付部材に回動自在に取付けられ、
蓋取付部材は、外面に係合爪を形成し、
蓋取付部材を保持する蓋取付部材収納ケースを開口部の周囲に取付けられた開口部ボックスに設け、蓋取付部材収納ケースに係合爪を係止する係止凹部を形成し、係止凹部に蓋取付部材収納ケースの外壁を貫通する貫通孔を形成し、
蓋取付部材収納ケースに蓋取付部材を収納したときに、係止凹部に係合爪を係合するとともに、貫通孔から係止解除部材の突起部を挿入して、係止凹部から係合爪の係止を解除することを可能とすることを特徴とする蓋部材の取付構造である。
【０００８】
請求項１の本発明では、開口部を塞ぐ蓋部材の取付構造において、蓋部材は、蓋取付部材に回動自在に取付けられ、蓋取付部材は、外面に係合爪を形成している。このため、蓋取付部材を開口部ボックスに取付けると、蓋部材は回動して開口部を塞ぐことができる。また、蓋取付部材の外面の係合爪は、蓋取付部材を開口部ボックスに着脱自在に係止することができる。
【０００９】
蓋取付部材を保持する蓋取付部材収納ケースを開口部の周囲に取付けられた開口部ボックスに設け、蓋取付部材収納ケースに係合爪を係止する係止凹部を形成し、係止凹部に蓋取付部材収納ケースの外壁を貫通する貫通孔を形成している。このため、蓋取付部材収納ケースにより蓋部材と蓋取付部材を開口部ボックスに保持して、係止凹部で係合爪を係止して蓋取付部材を蓋取付部材収納ケースに安定して保持することができる。
【００１０】
蓋取付部材収納ケースに蓋取付部材を収納したときに、係止凹部に係合爪を係合するとともに、貫通孔から係止解除部材の突起部を挿入して、係止凹部から係合爪の係止を解除することを可能としている。このため、蓋取付部材収納ケースに蓋取付部材を収納して、係止凹部に係合爪を係合して、蓋取付部材が蓋取付部材収納ケースから外れることを防止するとともに、必要な場合には、貫通孔から係止解除部材の突起部を挿入して、蓋取付部材収納ケースから容易に蓋部材と蓋取付部材を外すことができる。
【００１１】
請求項２の本発明は、係合爪は、弾性変形可能な合成樹脂で形成された蓋部材の取付構造である。
【００１２】
請求項２の本発明では、係合爪は、弾性変形可能な合成樹脂で形成されたため、係止凹部に係合爪を係合したときは、剛性を有しているため係止凹部から係合爪が外れ難く、強固に蓋取付部材を蓋取付部材収納ケースに保持して、係止凹部から係合爪を外すときは、係合爪が弾性変形して容易に係止凹部から外れて、蓋取付部材と蓋部材を蓋取付部材収納ケースから外すことができる。
【００１３】
請求項３の本発明は、係止解除部材は、板状に形成され、突起部は係止解除部材の下部に形成された蓋部材の取付構造である。
【００１４】
請求項３の本発明では、係止解除部材は、板状に形成されたため、狭い開口部にも容易に係止解除部材を入れることができ、蓋取付部材と蓋部材を蓋取付部材収納ケースから容易に外すことができる。
突起部は係止解除部材の下部に形成されたため、係合爪と係止凹部が蓋取付部材と蓋部材を蓋取付部材収納ケースの下方に形成されても、取外しが容易である。
【００１５】
請求項４の本発明は、蓋取付部材の外形は横方向の断面が略四角形に形成され、蓋取付部材収納ケースの内形は、蓋取付部材が摺動可能な横方向の断面が略四角形である蓋部材の取付構造である。
【００１６】
請求項４の本発明では、蓋取付部材の外形は横方向の断面が略四角形に形成され、蓋取付部材収納ケースの内形は、蓋取付部材が摺動可能な横方向の断面が略四角形である。このため、蓋取付部材収納ケース内に蓋取付部材を安定して保持できるとともに、蓋取付部材を蓋取付部材収納ケースに容易に着脱自在に取付けることができる。
【００１７】
請求項５の本発明は、開口部ボックスに開口部の周囲に沿った円弧形の開口部ボックス内壁を設け、蓋取付部材収納ケースは、開口部ボックス内壁の外側に一体的に形成され、開口部ボックス内壁と蓋取付部材収納ケースに係止解除部材の突起部を挿入する貫通孔を形成した蓋部材の取付構造である。
【００１８】
請求項５の本発明では、開口部ボックスに開口部の周囲に沿った円弧形の開口部ボックス内壁を設け、蓋取付部材収納ケースは、開口部ボックス内壁の外側に一体的に形成され、開口部ボックス内壁と蓋取付部材収納ケースに係止解除部材の突起部を挿入する貫通孔を形成した。このため、開口部に沿った円形の開口部ボックス内壁を有する開口部ボックスにより開口部の見栄えを向上させることができる。また、蓋取付部材収納ケースは、開口部ボックスの内壁の外周に一体的に形成されたため、蓋取付部材収納ケースを開口部ボックスと同時に形成し、取付も一体的に同時にすることができ、取付工程の短縮とコストの低減を図ることができる。開口部ボックス内壁と蓋取付部材収納ケースに係止解除部材の突起部を挿入する貫通孔を形成したため、係止解除部材の突起部を挿入して、容易に蓋取付部材を取出すことができる。
【００１９】
請求項６の本発明は、蓋部材の取付構造は、蓋部材の裏面に取付脚部を設け、蓋部材を開口部ボックスに取付ける蓋取付部材を設け、蓋取付部材に取付腕を設け、取付腕を取付脚部に回動自在かつ着脱自在に係合した蓋部材の取付構造である。
【００２０】
請求項６本発明では、蓋部材の取付構造は、蓋部材の裏面に取付脚部を設け、蓋部材を開口部ボックスに取付ける蓋取付部材を設け、蓋取付部材に取付腕を設け、取付腕を取付脚部に回動自在かつ着脱自在に係合した。このため、蓋部材の裏面の取付脚部に蓋取付部材を係合して、取付脚部の係止部に、蓋部材を回動自在かつ着脱自在に係合して、蓋部材を交換するときは、蓋部材を蓋取付部材から取外すことができる。
【００２１】
請求項７の本発明は、取付脚部及び取付腕の両方を貫通する取付ピンを挿入し、蓋部材の取付脚部を蓋取付部材の取付腕に回動自在かつ着脱自在に係合した蓋部材の取付構造である。
【００２２】
請求項７の本発明では、取付脚部及び取付腕の両方を貫通する取付ピンを挿入し、蓋部材の取付脚部を蓋取付部材の取付腕に回動自在かつ着脱自在に係合した。このため、蓋部材を外す必要がある場合には、蓋部材の取付脚部と蓋取付部材の取付腕を取付ピンから外すことにより、専用工具がなくても、容易に蓋部材を外すことができる。
【００２３】
請求項８の本発明は、開口部は、自動車の給油口であり、蓋部材は、給油口蓋である蓋部材の取付構造である。
【００２４】
請求項８の本発明では、開口部は、自動車の給油口であり、蓋部材は、給油口蓋であるため、給油口蓋を取換えることが容易であり、修理や交換が容易である。
【発明の効果】
【００２５】
蓋取付部材を保持する蓋取付部材収納ケースを開口部ボックスに設け、蓋取付部材収納ケースに係合爪を係止する係止凹部を形成しているため、蓋取付部材収納ケースにより蓋部材と蓋取付部材を開口部に保持して、係止凹部で係合爪を係止して蓋取付部材を蓋取付部材収納ケースに安定して保持することができる。
【００２６】
蓋取付部材収納ケースに蓋取付部材を収納したときに、係止凹部に係合爪を係合するとともに、貫通孔から係止解除部材の突起部を挿入して、係止凹部から係合爪の係止を解除することを可能としているため、係止凹部に係合爪を係合して、蓋取付部材が蓋取付部材収納ケースから外れることを防止するとともに、必要な場合には、貫通孔から係止解除部材の突起部を挿入して、蓋取付部材収納ケースから容易に蓋部材と蓋取付部材を外すことができる。
【図面の簡単な説明】
【００２７】
【図１】本発明の第１の実施の形態を示すもので、給油口蓋を取付ピンで蓋取付部材に取付けた状態の斜視図である。
【図２】本発明の第１の実施の形態を示すもので、蓋取付部材の斜視図である。
【図３】本発明の第１の実施の形態を示すもので、蓋取付部材の正面図である。
【図４】本発明の第１の実施の形態を示すもので、蓋取付部材の平面図である。
【図５】本発明の第１の実施の形態を示すもので、蓋取付部材の側面図である。
【図６】本発明の第１の実施の形態を示すもので、給油口ボックスに蓋取付部材収納ケースを取付けた状態の平面図である。
【図７】本発明の第１の実施の形態を示すもので、給油口ボックスに蓋取付部材収納ケースを取付けた状態の断面図であり、図６のＢ−Ｂ線に沿った断面図である。
【図８】本発明の第１の実施の形態を示すもので、給油口ボックスの蓋取付部材収納ケース内に蓋取付部材を取付けた状態の斜視図である。
【図９】本発明の第１の実施の形態を示すもので、給油口ボックスの蓋取付部材収納ケース内に蓋取付部材を取付けた状態の正面図である。
【図１０】本発明の第１の実施の形態を示すもので、給油口ボックスの蓋取付部材収納ケース内に蓋取付部材を取付けた状態の平面図である。
【図１１】本発明の第１の実施の形態を示すもので、給油口ボックスの蓋取付部材収納ケース内に蓋取付部材を取付けた状態の断面図であり、図１０のＡ−Ａ線に沿った断面図である。
【図１２】本発明の第１の実施の形態を示すもので、係止解除部材により蓋取付部材を蓋取付部材収納ケースから取外す工程において、係止解除部材を蓋取付部材収納ケースに接近させた状態を示す斜視図である。
【図１３】本発明の第１の実施の形態を示すもので、係止解除部材により蓋取付部材を蓋取付部材収納ケースから取外す工程において、係止解除部材を蓋取付部材収納ケースに接近させた状態を示し、図１２の係止解除部材が当接する部分の拡大斜視図である。
【図１４】本発明の第１の実施の形態を示すもので、係止解除部材により蓋取付部材を蓋取付部材収納ケースから取外す工程において、係止解除部材を蓋取付部材収納ケースに当接させた状態を示す斜視図である。
【図１５】本発明の第１の実施の形態を示すもので、係止解除部材により蓋取付部材を蓋取付部材収納ケースから取外す工程において、係止解除部材を蓋取付部材収納ケースに当接させた状態を示す断面図である。
【図１６】本発明の第１の実施の形態を示すもので、係止解除部材により蓋取付部材を蓋取付部材収納ケースから取外す工程において、係止解除部材を蓋取付部材収納ケースに当接させた状態を示し、図１５の係止解除部材が係合爪を解除する部分の拡大斜視図である。
【図１７】本発明の第１の実施の形態を示すもので、係止解除部材により蓋取付部材を蓋取付部材収納ケースから取外す工程において、係止解除部材を蓋取付部材収納ケースから取出した状態を示す斜視図である。
【図１８】本発明の第２の実施の形態を示すもので、給油口ボックスに蓋取付部材収納ケースを取付けた状態の平面図である。
【図１９】本発明の第２の実施の形態を示すもので、給油口ボックスの蓋取付部材収納ケース内に蓋取付部材を取付ける工程と、係止解除部材の突起部を貫通孔に挿入する工程を示す斜視図である。
【図２０】本発明の第２の実施の形態を示すもので、給油口ボックスの蓋取付部材収納ケース内に蓋取付部材を取付けた状態の断面図であり、図１０のＡ−Ａ線に沿った断面図である。
【図２１】従来の給油口蓋を開いた状態における、給油口蓋のアーム部材を開口部に取付けた状態の断面図である。
【発明を実施するための形態】
【００２８】
本発明は、開口部を塞ぐ蓋部材の取付構造に関するものであり、取付けと取外しが容易な取付構造に関するもので、蓋部材を、自動車の車体の給油口１を塞ぐ給油口蓋１０を例にとり説明する。本発明は、給油口１と給油口蓋１０以外にも、他の開口部を塞ぐ蓋部材の取付構造にも使用することができる。
【００２９】
本発明の第１と第２の実施の形態を図１〜図２０に基づき説明する。
本発明の第１の実施の形態について、まず、蓋部材である給油口蓋１０を取付ける蓋取付部材２０と蓋取付部材収納ケース３０の構造を図１〜図１１に基づき説明し、その後、蓋取付部材２０を蓋取付部材収納ケース３０から取外す方法について、図１２〜図１７に基づき説明する。
第２の実施の形態については、後述する。
【００３０】
本発明の第１の実施の形態では、給油口蓋１０は、図１に示すように、車体の給油口１を塞ぐために給油口１の形状に合わせて形成されている。本発明の実施の形態では、円形に形成されているが、給油口１の形状に合わせて楕円形や四角形に形成することや表面が車体の形状に合わせて湾曲して形成することができる。給油口蓋１０の上面１１は、車体の色と合わせて塗装されて、外形意匠面を形成している。
給油口蓋１０の下面１２の外周には、突起部１９が複数個形成され、後述する給油口ボックス２の溝部２ａに係合して、給油口蓋１０のずれを防止することができる。
【００３１】
自動車用燃料タンクに燃料を給油する場合に、車体に設けられた給油口１を塞ぐ給油口蓋１０を開いて、給油口１から燃料を給油する。
給油口１には、図６に示すように、給油口１に給油ガン（図示せず）が挿入しやすいように給油口ボックス２が取付けられている。給油口ボックス２には、後述する蓋取付部材収納ケース３０と蓋取付部材２０が取付けられる。上述のように、給油口ボックス２の上端には、溝部２ａが形成され、給油口蓋１０の突起部１９が係合される。
【００３２】
図１に示すように、給油口蓋１０の下面１２には、下方に板状に延びる４箇所の取付脚部が形成されている。取付脚部は、平行に形成され、図１における右側から第１取付脚部１４、第２取付脚部１５、第３取付脚部１６及び第４取付脚部１７の順に形成されている。
第１取付脚部１４と第２取付脚部１５及び第３取付脚部１６と第４取付脚部１７はそれぞれ近接して平行に形成されている。
【００３３】
本第１の実施の形態では、図１に示すように、第１取付脚部１４、第２取付脚部１５、第３取付脚部１６及び第４取付脚部１７は、給油口蓋１０の下面１２に形成された取付脚保持部材１３に形成されている。取付脚保持部材１３は平板状に形成されているため、給油口蓋１０が車体の形状に合わせて、湾曲して形成されていても、給油口蓋１０の形状にかかわりなく、第１取付脚部１４、第２取付脚部１５、第３取付脚部１６及び第４取付脚部１７の先端は、取付脚保持部材１３の平板面に沿って水平に並んで配置することができる。
【００３４】
第１取付脚部１４、第２取付脚部１５、第３取付脚部１６及び第４取付脚部１７には、それぞれ取付ピン１８を挿入するピン孔が形成されている。給油口蓋１０を蓋取付部材２０に取付けたときに、ピン孔は、後述する蓋取付部材２０の取付腕に設けられたピン孔と横一列に並んで、取付ピン１８がそのピン孔を貫通するように挿入されて、給油口蓋１０を回動自在に取付けることができる。
【００３５】
次に、図１〜図５に基づき蓋取付部材２０の構造について説明する。
図４に示すように、蓋取付部材２０は、給油口蓋１０を取付ける第１取付腕２１、第２取付腕２２及び第３取付腕２３が形成された蓋取付部材本体２５と、蓋取付部材本体２５を保持する蓋取付部材外ケース２６を有している。蓋取付部材本体２５は、図１に示すように、蓋取付部材外ケース２６の中に摺動自在に保持される。
【００３６】
図１に示すように、給油口蓋１０が蓋取付部材２０に取り付けられると、第１取付腕２１は、第１取付脚部１４と第２取付脚部１５の間に挟持されて、第３取付腕２３は、第３取付脚部１６と第４取付脚部１７の間に挟持される。第２取付脚部１５と第３取付脚部１６の間には、幅広の第２取付腕２２が挿入されて、第２取付脚部１５と第３取付脚部１６を保持する。
【００３７】
そして、第１取付脚部１４、第１取付腕２１、第２取付脚部１５、第２取付腕２２、第３取付脚部１６、第３取付腕２３及び第４取付脚部１７の順に横一列に並んだ状態で、そのピン孔に取付ピン１８が貫通するように挿入されて、給油口蓋１０が蓋取付部材本体２５に回動自在に保持される。
【００３８】
蓋取付部材外ケース２６は、図１と図４に示すように、外形は横方向の断面が略四角形に形成され、内部の形状は、蓋取付部材本体２５が挿入可能なように、横方向の断面が略四角形であるように形成されている。このとき、蓋取付部材外ケース２６と蓋取付部材本体２５の外面は、外方向に若干湾曲して形成してもよい。このため、蓋取付部材外ケース２６内に蓋取付部材本体２５が安定して保持されるとともに、蓋取付部材本体２５を蓋取付部材外ケース２６に容易に着脱自在に取付けることができる。
【００３９】
蓋取付部材外ケース２６の外面の給油口ボックス２の中心方向を向いた蓋取付部材外ケース内側面２６ａには、図２と図３に示すように、蓋取付部材２０の係合爪２７が形成されている。係合爪２７は、蓋取付部材外ケース２６の外面の下端付近に形成されている。係合爪２７は、下部が蓋取付部材外ケース２６に一体的に形成されて、上部が蓋取付部材外ケース２６の外面から突出するように斜め上方に向かって形成されている。蓋取付部材外ケース２６と係合爪２７は弾性変形可能な硬質合成樹脂で形成され、係合爪２７は、下部が蓋取付部材外ケース２６に固定されて弾性変形により上部が前後方向に変形することができる。
【００４０】
次に、図６と図７に基づき蓋取付部材収納ケース３０について説明する。蓋取付部材収納ケース３０は、給油口ボックス２の内部の給油口１から外れた位置で給油口ボックス２の壁に接して取付けられる。
蓋取付部材収納ケース３０は、内部が空間を有し、外形が直方体に形成され、内部の形状は、蓋取付部材２０が挿入可能なように、断面形状が長方形の直方体であるように形成されている。
【００４１】
蓋取付部材収納ケース３０の給油口ボックス２の中心方向を向いた蓋取付部材収納ケース外壁３３には、図７に示すように、蓋取付部材収納ケース３０の係止凹部３１が形成されている。係止凹部３１には、蓋取付部材２０の係合爪２７が係合する。係止凹部３１には、係止凹部３１を貫通する貫通孔３２が形成されている。
【００４２】
次に、図８〜図１１に基づき、蓋取付部材収納ケース３０に蓋取付部材２０を取付けた状態について説明する。
蓋取付部材２０が蓋取付部材収納ケース３０の内部に挿入されると、蓋取付部材２０は、蓋取付部材収納ケース３０の内部に嵌り込んで保持される。このため、蓋取付部材２０は、がたつくことなく、確実に保持される。また、図１０に示すように、蓋取付部材２０は給油口１から離れた位置に保持されるため、給油口蓋１０は、給油口１に対して回動して、給油口１を開閉することができる。
【００４３】
蓋取付部材２０は蓋取付部材収納ケース３０の奥まで挿入されると、図１１に示すように、蓋取付部材２０の係合爪２７が蓋取付部材収納ケース３０の係止凹部３１に係合して、蓋取付部材２０が蓋取付部材収納ケース３０から抜け出ることを防止して、確実に保持する。係合爪２７と係止凹部３１は、蓋取付部材２０と蓋取付部材収納ケース３０の下部に形成されているため、蓋取付部材２０が安定して保持される。
このため、給油口蓋１０は、給油口１を開閉することができる。
【００４４】
次に、図１２から図１７に基づき、蓋取付部材収納ケース３０から蓋取付部材２０を取出す方法について説明する。
給油口１、給油口ボックス２や給油口蓋１０の修理等のため給油口蓋１０と蓋取付部材２０を取外す必要が生じるが、このとき、給油口蓋１０は、蓋取付部材２０と一緒に取外される。
【００４５】
図１２に示すように、係止解除部材４０を使用して、蓋取付部材２０を蓋取付部材収納ケース３０から外す。係止解除部材４０は、図１３に示すように、板状に形成され、上部は係止解除部材４０を保持する幅の狭い係止解除部材保持部４１を有し、下部は幅の広い係止解除部材本体４２を有する。係止解除部材本体４２の下部には係止解除部材突起部４３が形成されている。
【００４６】
まず、図１３〜図１５に示すように、係止解除部材保持部４１を持って、係止解除部材本体４２を蓋取付部材収納ケース外壁３３に当接させて、係止解除部材突起部４３を蓋取付部材収納ケース３０の貫通孔３２に挿入する。係止解除部材４０は板状に形成されているため、狭い給油口ボックス２の内部にも容易に係止解除部材４０を入れることができ、蓋取付部材収納ケース外壁３３の外面にも密着して、係止解除部材突起部４３を蓋取付部材収納ケース３０の貫通孔３２に挿入することができる。
【００４７】
係止解除部材突起部４３を蓋取付部材収納ケース３０の貫通孔３２に挿入すると、図１５と図１６に示すように、係止解除部材突起部４３は、蓋取付部材２０の係合爪２７を押して、係合爪２７を蓋取付部材収納ケース３０の係止凹部３１から外すことができる。
【００４８】
その後、図１７に示すように、蓋取付部材２０を蓋取付部材収納ケース３０から引き抜いて、蓋取付部材２０と給油口蓋１０を蓋取付部材収納ケース３０から容易に外すことができる。このとき、蓋取付部材２０には給油口蓋１０も取付けられていて、給油口蓋１０と蓋取付部材２０が同時に蓋取付部材収納ケース３０から外される。その後、取付ピン１８を外して、給油口蓋１０は蓋取付部材２０から分離される。
【００４９】
次に、本発明の第２の実施の形態を図１８〜図２０に基づき説明する。本発明の第２の実施の形態は、本発明の第１の実施の形態とは、給油口ボックス２と蓋取付部材収納ケース３０の形状が異なり、他の部分は同様であるため、異なる部分を説明し、同様な部分の説明は省略する。
【００５０】
本発明の第２の実施の形態では、図１８と図１９に示すように、給油口１の周囲には円形の開口部を有する給油口ボックス２が取付けられている。給油口ボックス２は、給油口１の周囲に沿って円弧状に給油口ボックス内壁３が半円形に形成されている。このため、給油口１に沿った円形の給油口ボックス内壁３により給油口１の周囲の見栄えを向上させることができる。
【００５１】
給油口ボックス内壁３の一方の外側に形成された給油口ボックス棚部２ｂには、蓋取付部材２０を収納する蓋取付部材収納ケース３０である蓋取付部材収納凹部３４が一体的に形成されている。このため、蓋取付部材収納ケース３０を給油口ボックス２と同時に形成することができ、給油口１への取付も蓋取付部材収納ケース３０と給油口ボックス２を一体的に同時にすることができ、取付工程の短縮とコストの低減を図ることができる。
【００５２】
図２０に示すように、給油口ボックス内壁３の下部には、貫通孔３２が形成されている。蓋取付部材収納凹部３４の内壁３５にも、蓋取付部材外ケース２６に形成された係合爪２７が係合する貫通孔３２が形成されている。蓋取付部材２０が蓋取付部材収納凹部３４に取付けられると、係合爪２７が係止凹部３１に係合して、蓋取付部材２０は蓋取付部材収納凹部３４に取付けられる。
【００５３】
蓋取付部材２０を蓋取付部材収納ケース３０である蓋取付部材収納凹部３４から取出す場合には、図１９に示すように、係止解除部材４０の係止解除部材突起部４３を給油口ボックス内壁３の下部の貫通孔３２に挿入すると、係止解除部材突起部４３は、給油口ボックス内壁３の貫通孔３２からさらに、蓋取付部材収納凹部３４の内壁３５の貫通孔３２を通り係止凹部３１に係合された係合爪２７を押して、係合爪２７を蓋取付部材収納ケース３０の係止凹部３１から外すことができる。
【００５４】
その後、蓋取付部材２０を蓋取付部材収納凹部３４から引き抜いて、蓋取付部材２０と給油口蓋１０を蓋取付部材収納ケース３０である蓋取付部材収納凹部３４から容易に外すことができる。このとき、蓋取付部材２０には給油口蓋１０も取付けられていて、給油口蓋１０と蓋取付部材２０が同時に蓋取付部材収納ケース３０から外される。その後、取付ピン１８を外して、給油口蓋１０は蓋取付部材２０から分離される。
【符号の説明】
【００５５】
１０  給油口蓋（蓋部材）
２０  蓋取付部材
２５  蓋取付部材本体
２７  係合爪
３０  蓋取付部材収納ケース
３１  係止凹部
３２  貫通孔
４０  係止解除部材
４３  係止解除部材突起部
【図１】
2016215959.tif 000003
【図２】
2016215959.tif 000004
【図３】
2016215959.tif 000005
【図４】
2016215959.tif 000006
【図５】
2016215959.tif 000007
【図６】
2016215959.tif 000008
【図７】
2016215959.tif 000009
【図８】
2016215959.tif 000010
【図９】
2016215959.tif 000011
【図１０】
2016215959.tif 000012
【図１１】
2016215959.tif 000013
【図１２】
2016215959.tif 000014
【図１３】
2016215959.tif 000015
【図１４】
2016215959.tif 000016
【図１５】
2016215959.tif 000017
【図１６】
2016215959.tif 000018
【図１７】
2016215959.tif 000019
【図１８】
2016215959.tif 000020
【図１９】
2016215959.tif 000021
【図２０】
2016215959.tif 000022
【図２１】
2016215959.tif 000023